(57)【特許請求の範囲】
【請求項１】
遊技機筺体の内部に収容された基板ケースを、その左右方向一側が遊技機筺体の奥側に位置する収容姿勢から収容姿勢よりも前方に移動した展開姿勢になるまで、その左右方向他側を回動中心として回動させることができる状態で遊技機筺体に支持するための遊技機用基板ケースの支持構造であって、
遊技機筺体の内部で基板ケースを下側に吊り下げた状態又は上側に載置した状態で支持するための基板ケース支持体が、基板ケースの上側又は下側に設けられ、
軸部及び当該軸部の先端側に設けられた抜止部からなる第一ピンが、基板ケースにおける左右方向他側から上向き又は下向きに設けられ、
第一ピンの軸部を挿通可能で且つ第一ピンの抜止部を挿通できない幅を有する溝孔からなり、第一ピンの軸部を当該溝孔の長手方向に沿ってスライド可能な状態で支持するための第一案内溝が、基板ケース支持体に設けられ、
第一案内溝における少なくとも一部の区間が、第一ピンの軸部を左右方向に案内するための左右案内部とされたことにより、
基板ケースが展開姿勢にあるときの第一ピンの位置が、基板ケースが収容姿勢にあるときの第一ピンの位置よりも左右方向一側となるようにしたことを特徴とする遊技機用基板ケースの支持構造。
【請求項２】
第一案内溝における一部の区間が、第一ピンの軸部を前後方向に案内するための前後案内部とされたことにより、
基板ケースが展開姿勢にあるときの第一ピンの位置が、基板ケースが収容姿勢にあるときの第一ピンの位置よりも前方となるようにした請求項１記載の遊技機用基板ケースの支持構造。
【請求項３】
軸部及び当該軸部の先端側に設けられた抜止部からなる第二ピンが、基板ケースにおける第一ピンが設けられた箇所よりも左右方向一側に位置する箇所から上向き又は下向きに設けられ、
第二ピンの軸部を挿通可能で且つ第二ピンの抜止部を挿通できない幅を有する溝孔からなり、基板ケースが収容姿勢から展開姿勢となるまで回動する際に第二ピンの軸部を当該溝孔の長手方向に沿ってスライド可能な状態で支持するための第二案内溝が、基板ケース支持体に設けられた請求項１又は２記載の遊技機用基板ケースの支持構造。
【請求項４】
第一案内溝と第二案内溝とが、１本の溝孔に集約された請求項３記載の遊技機用基板ケースの支持構造。
【請求項５】
請求項１〜４いずれか１つに記載の遊技機用基板ケースの支持構造を用いたことを特徴とする遊技機。
【請求項６】
遊技機筺体の内部に収容された基板ケースを、その左右方向一側が遊技機筺体の奥側に位置する収容姿勢から収容姿勢よりも前方に移動した展開姿勢になるまで、その左右方向他側を回動中心として回動させることができる状態で遊技機筺体に支持するための遊技機用基板ケースの支持構造を用いた遊技機の製造方法であって、
遊技機筺体の内部で基板ケースを下側に吊り下げた状態又は上側に載置した状態で支持するための基板ケース支持体を、基板ケースの上側又は下側に設け、
軸部及び当該軸部の先端側に設けられた抜止部からなる第一ピンを、基板ケースにおける左右方向他側から上向き又は下向きに設け、
第一ピンの軸部を挿通可能で且つ第一ピンの抜止部を挿通できない幅を有する溝孔からなり、第一ピンの軸部を当該溝孔の長手方向に沿ってスライド可能な状態で支持するための第一案内溝を、基板ケース支持体に設け、
第一案内溝における少なくとも一部の区間を、第一ピンの軸部を左右方向に案内するための左右案内部とすることにより、
基板ケースが展開姿勢にあるときの第一ピンの位置が、基板ケースが収容姿勢にあるときの第一ピンの位置よりも左右方向一側となるようにするとともに、
第一案内溝を、基板ケース支持体の後縁に設けられた第一開口部で基板ケース支持体の外部と連通し、
第一ピンの軸部を第一開口部から挿し込んで第一案内溝に導き入れた後、遊技機筺体の背面を形成する背板で第一開口部を塞いだ構造とした
ことを特徴とする遊技機の製造方法。
【請求項７】
遊技機筺体の内部に収容された基板ケースを、その左右方向一側が遊技機筺体の奥側に位置する収容姿勢から収容姿勢よりも前方に移動した展開姿勢になるまで、その左右方向他側を回動中心として回動させることができる状態で遊技機筺体に支持するための遊技機用基板ケースの支持構造を用いた遊技機の製造方法であって、
遊技機筺体の内部で基板ケースを下側に吊り下げた状態又は上側に載置した状態で支持するための基板ケース支持体を、基板ケースの上側又は下側に設け、
軸部及び当該軸部の先端側に設けられた抜止部からなる第一ピンを、基板ケースにおける左右方向他側から上向き又は下向きに設け、
第一ピンの軸部を挿通可能で且つ第一ピンの抜止部を挿通できない幅を有する溝孔からなり、第一ピンの軸部を当該溝孔の長手方向に沿ってスライド可能な状態で支持するための第一案内溝を、基板ケース支持体に設け、
第一案内溝における少なくとも一部の区間を、第一ピンの軸部を左右方向に案内するための左右案内部とすることにより、
基板ケースが展開姿勢にあるときの第一ピンの位置が、基板ケースが収容姿勢にあるときの第一ピンの位置よりも左右方向一側となるようにするとともに、
基板ケースを成形するための金型に金属製の第一ピンを予めセットした状態で、基板ケースの成形材料である樹脂材料を前記金型内に射出することにより、第一ピンを基板ケースに一体化させた
ことを特徴とする遊技機の製造方法。
【発明の詳細な説明】
【技術分野】
【０００１】
本発明は、遊技機筺体の内部に基板ケースを支持するための遊技機用基板ケースの支持構造と、当該支持構造を用いた遊技機とに関する。
【背景技術】
【０００２】
回胴式遊技機やパチンコ遊技機等の遊技機の筺体（遊技機筺体）には、メイン制御基板やサブ制御基板等の各種の電子基板が収容されている。これらの電子基板や、それに取り付けられたＲＯＭ等が偽造品へ交換されてしまうと、例えば、遊技機に特定の操作を行うことで一般の遊技者（当該特定の操作を知らない遊技者）よりも有利な条件で遊技が進行するように遊技機を改造することが可能になる等、悪意のある遊技者（当該特定の操作を知っている遊技者）に不正遊技を許す虞がある。このため、遊技機の各メーカーは、メイン制御基板を始めとする各種の電子基板をケース（基板ケース）の内部に格納して、その電子基板に不正アクセスしにくくする対策を行っている。基板ケースに格納されている電子基板等が偽造品に交換されたり、基板ケースがこじ開けられたりしたような場合であっても、その痕跡を基板ケースの外部から視認できるようにするために、基板ケースは、通常、透明な材料によって形成される。
【０００３】
ところが、従来の遊技機において、メイン制御基板を格納する基板ケースは、その背面を遊技機筺体の背板の前面に直接的に又はホルダ等を介して間接的に取り付けられていた。このため、従来の遊技機では、基板ケースの背面側を破壊して電子基板等に不正アクセスした後、基板ケースを遊技機筺体の背板に再度取り付けることによって、基板ケースの破壊痕を基板ケースの背面側に隠れた状態として目立ちにくくすることが可能であった。したがって、電子基板等への不正アクセスの痕跡の有無を点検する者（通常、遊技機の設置店の従業員）は、基板ケースを前面側から目視するだけでは足りず、基板ケースを遊技機筺体から取り外してその背面側も目視する必要があった。
【０００４】
この点、これまでには、遊技機筺体の内部に収容された基板ケースを、その左右方向一側が遊技機筺体の奥側に位置する収容姿勢から収容姿勢よりも前方に移動した展開姿勢になるまで、その左右方向他側を回動中心として回動させることができるようにした遊技機も提案されている（例えば特許文献１を参照）。この種の遊技機では、基板ケースを遊技機筺体から完全に取り外さなくても、基板ケースの背面側を目視することが可能である。しかし、従来のこの種の遊技機では、基板ケースを大きく回動させることができなかった。このため、従来のこの種の遊技機では、基板ケースを限界まで回動させたとしても、基板ケースにおける回動中心近傍（基板ケースの左右方向他側）を目視しにくいという欠点があった。
【０００５】
例えば、特許文献１の遊技機では、基板ケース（同文献の図１３における符号２００を参照）の背面が遊技機筺体の背板に平行な状態（同図における上段部に示される状態）から基板ケースを約９０°回動させると、基板ケースの前面が遊技機筺体の側板に干渉するため、基板ケースをそれ以上回動させることができない状態（同図における下段部に示される状態）となる。したがって、特許文献１の遊技機では、基板ケースを限界まで回動させたとしても、基板ケースにおける回動中心（同文献の図１３におけるケース支持装置３００）近傍の背面側は、遊技機筺体の奥側で横を向いているため、遊技機筺体の前方からは非常に目視しにくい状態となっている。
【先行技術文献】
【特許文献】
【０００６】
【特許文献１】特開２０１４−０５７６７４号公報
【発明の概要】
【発明が解決しようとする課題】
【０００７】
本発明は、上記課題を解決するために為されたものであり、基板ケースを遊技機筺体から完全に取り外さなくても基板ケースの背面側を目視できるようにするだけでなく、基板ケースにおける回動中心近傍の背面側を容易に目視できるようにすることで、不正アクセスの早期発見を図ることができる遊技機用基板ケースの支持構造を提供するものである。また、上記の遊技機用基板ケースの支持構造を用いて基板ケースを遊技機筺体に支持させた遊技機を提供することも本発明の目的である。
【課題を解決するための手段】
【０００８】
上記課題は、
遊技機筺体の内部に収容された基板ケースを、その左右方向一側が遊技機筺体の奥側に位置する収容姿勢から収容姿勢よりも前方に移動した展開姿勢になるまで、その左右方向他側を回動中心として回動させることができる状態で遊技機筺体に支持するための遊技機用基板ケースの支持構造であって、
遊技機筺体の内部で基板ケースを下側に吊り下げた状態又は上側に載置した状態で支持するための基板ケース支持体が、基板ケースの上側又は下側に設けられ、
軸部及び当該軸部の先端側に設けられた抜止部からなる第一ピンが、基板ケースにおける左右方向他側から上向き又は下向きに設けられ、
第一ピンの軸部を挿通可能で且つ第一ピンの抜止部を挿通できない幅を有する溝孔からなり、第一ピンの軸部を当該溝孔の長手方向に沿ってスライド可能な状態で支持するための第一案内溝が、基板ケース支持体に設けられ、
第一案内溝における少なくとも一部の区間が、第一ピンの軸部を左右方向に案内するための左右案内部とされたことにより、
基板ケースが展開姿勢にあるときの第一ピンの位置が、基板ケースが収容姿勢にあるときの第一ピンの位置よりも左右方向一側となるようにしたことを特徴とする遊技機用基板ケースの支持構造
を提供することによって解決される。
【０００９】
本発明の遊技機用基板ケースの支持構造では、第一ピンが、基板ケースの回動中心における支軸として機能するところ、上記のように、基板ケースが収容姿勢から展開姿勢まで回動する際に、第一ピンの位置が左右方向一側へ移動するようにしたことによって、基板ケースを９０°を超える大きな角度で回動させても、基板ケースが側板等の遊技機筺体に干渉しにくくすることが可能になる。このため、展開姿勢とした基板ケースにおける回動中心近傍（基板ケースの左右方向他側）の背面側を目視しやすくし、基板ケースの背面側の目視点検に要する労力を軽減することが可能になる。したがって、基板ケースの背面側の目視点検を頻繁に行うことが容易になり、不正アクセスの早期発見を図ることもできる。
【００１０】
ところで、本明細書においては、「左右方向」のように、「左」又は「右」を含む語句を用いているが、特に断りのない限り、本明細書における「左」とは、収容姿勢にある基板ケースの前面に向かって左側となる側を意味し、本明細書における「右」とは、収容姿勢にあるときの基板ケースの前面に向かって右側となる側を意味している。本発明の遊技機用基板ケースの支持構造では、基板ケースが回動して収容姿勢にない場面もあるところ、当該場面において、「基板ケースの左右方向一側」という場合には、基板ケースにおける、それが収容姿勢にあったときに左右方向一側であった側を意味し、「基板ケースの左右方向他側」という場合には、基板ケースにおける、それが収容姿勢にあったときに左右方向他側であった側を意味している。
【００１１】
同様に、本明細書においては、「前後方向」のように、「前」又は「後」を含む語句を用いているが、特に断りのない限り、本明細書における「前」とは、収容姿勢にある基板ケースの前面に向かって手前側となる側を意味し、本明細書における「後」とは、収容姿勢にある基板ケースの前面に向かって奥側となる側を意味している。ただし、「前記」等、空間的な方向を意味しない語句に関しては、この限りではない。
【００１２】
また、「第一ピンの軸部を左右方向に案内するための左右案内部」とは、左右案内部において第一ピンの軸部が左右方向に対して完全に平行な方向に案内される場合だけでなく、左右方向に対して傾斜した方向（左右方向に対して垂直な方向を除く。）に案内される場合をも含んでいる。左右案内部は、左右方向に垂直な方向（前後方向）に対して非平行な方向へ第一ピンの軸部を案内するものであればよい。
【００１３】
本発明の遊技機用基板ケースの支持構造においては、第一案内溝における一部の区間を、第一ピンの軸部を前後方向に案内するための前後案内部として、基板ケースが展開姿勢にあるときの第一ピンの位置が、基板ケースが収容姿勢にあるときの第一ピンの位置よりも前方となるようにすると好ましい。これにより、基板ケースを９０°を超えるさらに大きな角度で回動させても、基板ケースが側板等の遊技機筺体に干渉しにくくすることが可能になる。また、展開姿勢において基板ケース自体を前方に位置させることも可能になる。したがって、基板ケースの背面側を近い位置で目視することが可能となる。
【００１４】
本発明の遊技機用基板ケースの支持構造において、第一案内溝に対する第一ピンの軸部の挿し込み方は、特に限定されないが、次のようにすると好ましい。すなわち、第一案内溝を、基板ケース支持体の後縁に設けた第一開口部で基板ケース支持体の外部と連通した形態に設け、第一ピンの軸部を第一開口部から挿し込んで第一案内溝に導き入れた後、遊技機筺体の背面を形成する背板で第一開口部を塞いだ構造（以下、この構造を「背板閉塞構造」と呼ぶことがある。）とすると好ましい。というのも、不正アクセスの際に基板ケースが破損等した場合において、不正アクセスの痕跡を消そうとする者は、基板ケースを破損等していないものに交換する必要があるところ、上記の背板閉塞構造を採用することによって、遊技機筺体の背板を取り外さなければ基板ケースを基板ケース支持体から取り外すことができないようにすることが可能になるからである。したがって、そのような不正アクセスを抑止することが可能になる。
【００１５】
本発明の遊技機用基板ケースの支持構造において、基板ケースに対する第一ピンの設け方は、特に限定されず、例えば、基板ケースとは別個に形成した第一ピンを螺合等によって基板ケースに固定してもよい。しかし、この場合には、基板ケース等に目立つ痕跡を残すことなく第一ピンが基板ケースから取り外されてしまう可能性が生じ、基板ケースを基板ケース支持体から取り外す作業が容易になる虞がある。このため、第一ピンは、基板ケースに対して一体化した状態（第一ピンや基板ケースを破損等しなければ第一ピンを基板ケースから分離できない状態）に設けると好ましい。特に、上記の背板閉塞構造を採用する場合には、第一ピンを基板ケースに対して一体化した状態に設けると好ましい。
【００１６】
第一ピンを基板ケースに対して一体化した状態に設ける方法は、特に限定されず、例えば、第一ピンと基板ケースとを連続した形態で同一の金型で同時に成形する方法等が挙げられる。しかし、この場合には、第一ピンを基板ケース（通常、樹脂によって形成される。）と同じ材料で形成する必要が生じるところ、負荷の掛かりやすい第一ピンを基板ケースよりも強度のある金属によって形成することができなくなってしまう。したがって、基板ケースを成形するための金型に金属製の第一ピン（所定形状に形成された後の第一ピン）を予めセットした状態で、基板ケースの成形材料である樹脂材料を前記金型内に射出することにより、第一ピンを基板ケースに一体化させる（第一ピンの一部を基板ケース内に埋め込んだ状態とする）と好ましい。これにより、第一ピンと基板ケースの材料が異なる場合であっても、第一ピンを基板ケースに対して一体化させることが可能になる。
【００１７】
本発明の遊技機用基板ケースの支持構造においては、基板ケースを第一ピンのみで基板ケース支持体に支持するようにしてもよいが、
軸部及び当該軸部の先端側に設けられた抜止部からなる第二ピンを、基板ケースにおける第一ピンが設けられた箇所よりも左右方向一側に位置する箇所から上向き又は下向きに設け、
第二ピンの軸部を挿通可能で且つ第二ピンの抜止部を挿通できない幅を有する溝孔からなり、基板ケースが収容姿勢から展開姿勢となるまで回動する際に第二ピンの軸部を当該溝孔の長手方向に沿ってスライド可能な状態で支持するための第二案内溝を、基板ケース支持体に設ける
ことも好ましい。
【００１８】
これにより、第一ピンと第二ピンとで基板ケースを吊り下げる等、基板ケースのバランスのよい支持が可能となり、基板ケースの安定性を高めることが可能になる。加えて、基板ケースの重量に起因する負荷を第一ピンと第二ピンとに分散することも可能になる。したがって、基板ケースの回動を繰り返しても、第一ピン又は第二ピンの周辺が破損しないようにすることができる。また、本実施態様の遊技機用基板ケースにおいて、基板ケースは、少なくとも回動及びスライド移動の２つの移動自由度を有しているが、第一ピン及び第二ピンをそれぞれ第一案内溝及び第二案内溝で案内することによって、収容姿勢から展開姿勢へと移行する際の基板ケースの移動態様を制限することも可能になる。したがって、基板ケースが遊技機筺体の内部における他の部材等に意図せず衝突して破損する等の不具合を防止することができる。
【００１９】
本発明の遊技機用基板ケースの支持構造において、第一案内溝に加えて第二案内溝を設ける場合には、第一案内溝と第二案内溝は、互いに独立した２本の溝孔の形態で設けてもよいし、１本の溝孔に集約した形態で設けてもよい。前者の場合には、第一ピン及び第二ピンの配置や、第一案内溝及び第二案内溝の形態や配置を設計しやすく、収容姿勢から展開姿勢へと移行する際の基板ケースにある程度複雑な軌跡を辿らせたいような場合であっても比較的容易に実現できるというメリットがある。一方、後者の場合には、基板ケース支持体に設ける溝孔の本数を減らして基板ケース支持体の強度を維持しやすいというメリットがある。
【発明の効果】
【００２０】
以上のように、本発明によって、基板ケースを遊技機筺体から完全に取り外さなくても基板ケースの背面側を目視できるようにするだけでなく、基板ケースにおける回動中心近傍の背面側を容易に目視できるようにすることで、不正アクセスの早期発見を図ることができる遊技機用基板ケースの支持構造を提供することが可能になる。また、上記の遊技機用基板ケースの支持構造を用いて基板ケースを遊技機筺体に支持させた遊技機を提供することも可能になる。
【図面の簡単な説明】
【００２１】
【図１】回胴式遊技機の正面図である。
【図２】前扉を開いた状態の回胴式遊技機を示した斜視図である。
【図３】メイン制御基板ユニットを分解した状態を示した斜視図である。
【図４】第一実施態様の遊技機用基板ケースの支持構造において、基板ケースを収容姿勢から展開姿勢まで回動させる前後の状態を示した斜視図である。
【図５】第一実施態様の遊技機用基板ケースの支持構造において、基板ケースが収容姿勢にあるときの基板ケース及び基板ケース支持体の一部を破断して示した前面図である。
【図６】第一実施態様の遊技機用基板ケースの支持構造における基板ケース支持体を示した平面図である。
【図７】第一実施態様の遊技機用基板ケースの支持構造において、基板ケースを基板ケース支持体に組み付けている様子を示した分解斜視図である。
【図８】第一実施態様の遊技機用基板ケースの支持構造において、基板ケースを収容姿勢から展開姿勢まで回動させる様子をフェーズごとに示した平面図である。
【図９】第一実施態様の遊技機用基板ケースの支持構造において、各フェーズにおける第一ピン及び第二ピンと第一案内溝及び第二案内溝との位置関係を示した平面図である。
【図１０】第二実施態様の遊技機用基板ケースの支持構造において、基板ケースを収容姿勢から展開姿勢まで回動させる前後の状態を示した斜視図である。
【図１１】第二実施態様の遊技機用基板ケースの支持構造における基板ケース支持体を示した平面図である。
【図１２】第二実施態様の遊技機用基板ケースの支持構造において、基板ケースを収容姿勢から展開姿勢まで回動させる様子をフェーズごとに示した平面図である。
【図１３】第二実施態様の遊技機用基板ケースの支持構造において、各フェーズにおける第一ピン及び第二ピンと第一案内溝及び第二案内溝との位置関係を示した平面図である。
【発明を実施するための形態】
【００２２】
本発明の遊技機用基板ケースの支持構造の好適な実施態様について、図面を用いてより具体的に説明する。以下においては、説明の便宜上、本発明の遊技機用基板ケースの支持構造を回胴式遊技機において採用する場合を例に挙げて説明するが、本発明の遊技機用基板ケースの支持構造は、パチンコ遊技機等の他の遊技機においても採用することができる。
【００２３】
１．回胴式遊技機
図１は、回胴式遊技機１０の正面図である。回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００２４】
この回胴式遊技機１０は、メダルのクレジット枚数が所定枚数以上となった状態でスタートレバー２０が操作されると、役抽選が実行されるとともにリール１３，１４，１５が一斉に回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２５】
図２は、前扉１０ｂを開いた状態の回胴式遊技機１０を示した斜視図である。回胴式遊技機１０は、図２に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。筺体本体１０ａは、遊技機筺体の底面を為す底板１０ａ１と、遊技機筺体の側面を為す左右一対の側板１０ａ２，１０ａ３と、遊技機筺体の上面を為す天板１０ａ４と、遊技機筺体の背面を為す背板１０ａ５とで構成されている。本実施態様において、遊技機筺体の内部には、メイン制御基板ユニット３０、サブ制御基板ユニット３１、液晶ユニット３２、電源ユニット３３、コネクタユニット３４、リールユニット３５及びホッパーユニット３６等が納められている。
【００２６】
メイン制御基板ユニット３０は、役抽選や入賞判定等、遊技における基本的な制御を行うメイン制御基板（電子基板）が格納されたユニットである。サブ制御基板ユニット３１は、発光ランプや音声による演出等、遊技における演出に関する制御を行うサブ制御基板（電子基板）が格納されたユニットである。液晶ユニット３２は、液晶ディスプレイ１６（図１を参照）に表示される映像による演出に関する制御を行う映像基板（電子基板）が格納されたユニットである。電源ユニット３３は、回胴式遊技機１０における各機器に電力を供給する電源基板（電子基板）が格納されたユニットである。コネクタユニット３４は、特定の機器に接続されたケーブルを仲介する仲介基板（電子基板）が格納されたユニットである。リールユニット３５は、リール１３，１４，１５の回転をそれぞれ独立して制御するリール制御基板（電子基板）を備えたユニットである。ホッパーユニット３６は、メダル投入口１１（図１を参照）に投入されたメダルを回収するとともに、メイン制御基板ユニット３０からの信号に基づいてメダル払出口１２（図１を参照）へメダルを送出する制御を行うホッパー制御基板（電子基板）を備えたユニットである。
【００２７】
これらのユニット３０〜３６における各種電子基板のうち、例えば、メイン制御基板ユニット３０に格納されたメイン制御基板には、遊技機における基本的な制御を行うためのプログラムが記録された記憶装置（ＲＯＭ）が搭載されている。この記憶装置が偽造されたものに交換されてしまうと、特定の操作を行うと必ず大当たりになるようにする等、悪意のある遊技者に不正な遊技を許してしまう。このため、本実施態様においては、図３に示すように、メイン制御基板ユニット３０における電子基板（メイン制御基板３０ａ）を基板ケース４０で封止した状態としている。図３は、メイン制御基板ユニット３０を分解した状態を示した斜視図である。メイン制御基板３０ａには、ＣＰＵやＲＯＭ等の電子機器が実装されるが、図３においては、当該電子機器の図示を省略している。
【００２８】
本実施態様において、基板ケース４０は、図３に示すように、メイン制御基板３０ａの背面側を覆うメイン制御基板ベース４１と、メイン制御基板３０ａの前面側を覆うメイン制御基板カバー４２とで構成している。基板ケース４０の成形材料は、特に限定されないが、通常、それに格納されている電子基板等が偽造品に交換されたり、それがこじ開けられたりしたような場合であっても、その痕跡をその外部から視認できるようにするために、透明樹脂が用いられる。本実施態様において、基板ケース４０は、透明樹脂を射出成形したものとなっている。サブ制御基板ユニット３１や液晶ユニット３２等、電子基板を格納する他のユニットにおいても、メイン制御基板ユニット３０と同様の封止構造（電子基板を基板ケースで封止する構造）が採用される。
【００２９】
本発明の遊技機用基板ケースの支持構造は、上記のメイン制御基板ユニット３０の基板ケース４０を、筺体本体１０ａ（遊技機筺体）に支持する際に好適に採用することができる。以下においては、説明の便宜上、本発明の遊技機用基板ケースの支持構造を、メイン制御基板ユニット３０の基板ケース４０で採用する場合を例に挙げて説明する。しかし、本発明の遊技機用基板ケースの支持構造は、これに限定されず、サブ制御基板ユニット３１の基板ケースや、液晶ユニット３２の基板ケース等を遊技機筺体に支持する場合でも採用することができる。
【００３０】
２．遊技機用基板ケースの支持構造
本発明の遊技機用基板ケースの支持構造における具体的な構成について、より詳しく説明する。以下においては、説明の便宜上、２つの実施態様（第一実施態様及び第二実施態様）を例に挙げて、本発明の遊技機用基板ケースの支持構造を説明するが、本発明の技術的範囲は、これらの実施態様に限定されることなく、発明の主旨を損なわない範囲で適宜変更を施すことができる。
【００３１】
２．１  第一実施態様の遊技機用基板ケースの支持構造
まず、第一実施態様の遊技機用基板ケースの支持構造について説明する。図４は、第一実施態様の遊技機用基板ケースの支持構造において、基板ケース４０を収容姿勢（同図（ａ））から展開姿勢（同図（ｂ））まで回動させる前後の状態を示した斜視図である。図４において、遊技機筺体は、筺体本体１０ａの側板１０ａ２、天板１０ａ４及び背板１０ａ５のみを図示しており、底板１０ａ１側板１０ａ３及び前扉１０ｂについては図示を省略している。図５は、第一実施態様の遊技機用基板ケースの支持構造において、基板ケース４０が収容姿勢にあるときの基板ケース４０及び基板ケース支持体５０を示した前面図である。図５においては、基板ケース４０の上部、基板ケース支持体５０及び天板１０ａ４を、第一ピン４３の中心線及び第二ピン４４の中心線を通る平面で切断した断面で示している。
【００３２】
第一実施態様の遊技機用基板ケースの支持構造は、図４に示すように、基板ケース４０を、遊技機筺体１０ａの内部に収容された状態で支持するためのものとなっている。基板ケース４０は、その右側（基板ケース４０の前面に向かって右側）が遊技機筺体１０ａの奥側に位置する収容姿勢（同図（ａ））から、その右側が収容姿勢のときよりも前方（ｙ軸方向負側）に移動した展開姿勢（同図（ｂ））になるまで、その左側（基板ケース４０の前面に向かって左側）を回動中心として回動させることができる状態で遊技機筺体１０ａに支持されている。以下においては、基板ケース４０における右側（基板ケース４０を収容姿勢から展開姿勢となるまで回動させる際に回動変位する側）を「回動変位側」と呼ぶことがあり、基板ケース４０における左側（基板ケース４０を収容姿勢から展開姿勢となるまで回動させる際に回動中心となる側）を「回動中心側」と呼ぶことがある。
【００３３】
２．１．１  基板ケース支持体（第一実施態様）
基板ケース４０は、図５に示すように、基板ケース支持体５０によって支持された状態となっている。基板ケース支持体５０には、溝孔からなる第一案内溝５１と、同じく溝孔からなる第二案内溝５２とが設けられている。第一案内溝５１は、後述する第一ピン４３の軸部４３ａをスライド可能な状態で支持するための部分となっている。第一案内溝５１の幅Ｗ１は、第一ピン４３の軸部４３ａの直径Ｄ１よりも大きく、且つ、第一ピン４３の先端側に設けられた抜止部４３ｂの直径Ｄ２よりも小さくなっている。このため、第一案内溝５１は、第一ピン４３の軸部４３ａを挿通可能であるものの、第一ピン４３の抜止部４３ｂを挿通（通過させることが）できないものとなっている。
【００３４】
一方、第二案内溝５２は、後述する第二ピン４４の軸部４４ａをスライド可能な状態で支持するための部分となっている。第二案内溝５２の幅と、第二ピン４４の軸部４４ａの直径、及び、第二ピン４４の先端側に設けられた抜止部４４ｂの直径との関係は、上述した、第一案内溝５１の幅Ｗ１と、第一ピン４３の軸部４３ａの直径Ｄ１及び抜止部４３ｂの直径Ｄ２との関係と同様となっている。このため、第二案内溝５２は、第二ピン４４の軸部４４ａを挿通可能であるものの、第二ピン４４の抜止部４４ｂを挿通（通過させることが）できないものとなっている。
【００３５】
したがって、図４（ａ）に示すように、収容姿勢にある基板ケース４０を、その回動中心側の第一ピン４３を中心に時計回り（ｚ軸方向正側から見て時計回り。以下同じ。）に回動させようとした際には、基板ケース４０が第一ピン４３を中心として時計回りに回動しながら、第一ピン４３及び第二ピン４４がそれぞれ第一案内溝５１及び第二案内溝５２に沿ってスライド変位していくことで、図４（ｂ）に示すように、基板ケース４０が展開姿勢となるようになっている。以下においては、第一実施態様の遊技機用基板ケースの支持構造における上記の時計回りの回動のように、基板ケース４０を収容姿勢から展開姿勢へと回動させる向きの回動を「展開回動」と呼び、展開回動の際に基板ケースが回動する向きを「順方向」と呼ぶことがある。
【００３６】
また逆に、図４（ｂ）に示すように、展開姿勢にある基板ケース４０を、その回動中心側の第一ピン４３を中心に反時計回り（ｚ軸方向正側から見て反時計回り。以下同じ。）に回動させようとした際には、基板ケース４０が第一ピン４３を中心として反時計回りに回動しながら、第一ピン４３及び第二ピン４４がそれぞれ第一案内溝５１及び第二案内溝５２に沿ってスライド変位していくことで、図４（ａ）に示すように、基板ケース４０が収容姿勢となるようになっている。以下においては、第一実施態様の遊技機用基板ケースの支持構造における上記の反時計回りの回動のように、基板ケース４０を展開姿勢から収容姿勢へと回動させる向きの回動を「収容回動」と呼び、収容回動の際に基板ケースが回動する向きを「逆方向」と呼ぶことがある。
【００３７】
第一実施態様の遊技機用基板ケースの支持構造においては、基板ケース支持体５０を基板ケース４０の上側に設けるとともに、第一ピン４３及び第二ピン４４を上向きに設けており、基板ケース４０が基板ケース支持体５０の下側に吊り下げられた状態で支持されるようになっているが、基板ケース４０は、基板ケース支持体５０の上側に載置した状態で支持させることもできる。基板ケース４０を基板ケース支持体５０の上側に載置する場合には、基板ケース支持体５０を基板ケース４０よりも下側に設けるとともに、第一ピン４３及び第二ピン４４を下向きに設ける。ただし、この場合には、基板ケース４０の安定性が悪くなり、基板ケース４０を回動させる際に基板ケース４０がガタつきやすくなる。このため、基板ケース４０は、基板ケース支持体５０の下側に吊り下げた状態で支持すると好ましい。
【００３８】
基板ケース支持体５０は、遊技機筺体に対して直接的に（他の部材を介さずに）又は間接的に（他の部材を介して）固定される。基板ケース支持体５０の設け方は、特に限定されず、遊技機筺体の内面から突出して設けた棚状部分等を基板ケース支持体５０として利用することもできるが、この場合には、基板ケース支持体５０が遊技機筺体の内部空間を仕切った状態となり、各ユニットで発生した熱が逃げにくくなる虞がある。このため、基板ケース支持体５０は、遊技機筺体の一部を形成する形態（遊技機筺体に一体的に埋め込んだ形態）で設けると好ましい。第一実施態様の遊技機用基板ケースの支持構造において、基板ケース支持体５０は、天板１０ａ４の一部を形成する形態で設けている（天板１０ａ４の一部の区画が、基板ケース支持体５０となるようにしている。）。基板ケース支持体５０の上面は、保護カバー７０（図７）で覆われる。保護カバー７０は、図７以外の図面では図示を省略している。
【００３９】
２．１．２  第一ピン（第一実施態様）
基板ケース４０の回動中心側には、図５に示すように、第一ピン４３が設けられている。基板ケース支持体５０の上側に基板ケース４０を載置した状態とする場合には、第一ピン４３は下向きに設けられるが、第一実施態様の遊技機用基板ケースの支持構造では、上述したように、基板ケース支持体５０の下側に基板ケース４０を吊り下げた状態としているため、第一ピン４３は、基板ケース４０の上部から上向きに設けている。第一ピン４３は、メイン制御基板ベース４１とメイン制御基板カバー４２のいずれに設けてもよいが、第一実施態様の遊技機用基板ケースの支持構造においては、メイン制御基板ベース４１に第一ピン４３を設けている。第一ピン４３の材料は、特に限定されないが、第一実施態様の遊技機用基板ケースの支持構造においては、金属によって第一ピン４３を形成しており、第一ピン４３を高強度なものとしている。
【００４０】
第一実施態様の遊技機用基板ケースの支持構造において、第一ピン４３は、軸部４３ａと、軸部４３ａの先端側（上端側）に設けた抜止部４３ｂと、軸部４３ａの基端側（下端側）に設けたアンカー部４３ｃとで構成している。軸部４３ａの直径Ｄ１は、第一案内溝５１の幅Ｗ１よりも小さくされ、抜止部４３ｂの直径Ｄ２は、第一案内溝５１の幅Ｗ１よりも大きくされる。また、アンカー部４３ｃの直径Ｄ３は、軸部４３ａの直径Ｄ１よりも大きくされる。軸部４３ａは、第一案内溝５１に挿通して案内されるための部分である。抜止部４３ｂは、第一ピン４３が第一案内溝５１から抜けないようにするための部分である。アンカー部４３ｃは、第一ピン４３が基板ケース４０から外れないように基板ケース４０に埋め込むための部分である。
【００４１】
第一実施態様の遊技機用基板ケースの支持構造においては、上述したように、第一ピン４３を金属製とするとともに、基板ケース４０を透明樹脂の射出成形によって成形するものとなっているところ、基板ケース４０を射出成形するための金型に金属製の第一ピン４３を予めセットした状態で、基板ケース４０の成形材料である樹脂材料を前記金型内に射出することにより、第一ピン４３のアンカー部４３ｃの周辺が、基板ケース４０における第一ピン埋込部４６の内部に埋め込まれた状態で一体化されるようにしている。このため、基板ケース４０における第一ピン埋込部４６の周辺を破損する等して、基板ケース４０に痕跡を残さない限りは、第一ピン４３を基板ケース４０から取り外すことができない状態となっている。
【００４２】
基板ケース４０を左右方向に亘るどの部分に第一ピン４３を設けるかは、特に限定されない。しかし、第一ピン４３を基板ケース４０における左右方向中心に近い箇所に設けると、基板ケース４０を収容姿勢よりも大きく前方に移動させた後に回動するようにしないと、基板ケース４０の回動中心側の端部が背板１０ａ５等に干渉するようになる。このため、第一ピン４３は、基板ケース４０の左右方向の幅をＬ０（図５）として、基板ケース４０の回動中心側の端部から第一ピン４３の中心までの距離（左右方向に沿った距離）をＬ１（図５）としたときに、距離Ｌ０に対する距離Ｌ１の比Ｌ１／Ｌ０が０．４以下となる箇所に設けると好ましい。比Ｌ１／Ｌ０は、０．３以下であるとより好ましく、０．２以下であるとさらに好ましく、０．１以下であると最適である。比Ｌ１／Ｌ０は、通常、０以上とされるが、第一ピン４３は、基板ケース４０の回動中心側の端部よりも外方（図５の例では左側）に突き出た箇所に設けてもよい。
【００４３】
２．１．３  第二ピン（第一実施態様）
基板ケース４０における第一ピン４３が設けられた箇所よりも回動変位側（基板ケース４０の前面に向かって右側）には、図５に示すように、第二ピン４４が設けられている。基板ケース支持体５０の上側に基板ケース４０を載置した状態とする場合には、第二ピン４４は下向きに設けられるが、第一実施態様の遊技機用基板ケースの支持構造では、上述したように、基板ケース支持体５０の下側に基板ケース４０を吊り下げた状態としているため、第二ピン４４は、基板ケース４０の上部から上向きに設けている。第二ピン４４は、メイン制御基板ベース４１とメイン制御基板カバー４２のいずれに設けてもよいが、第一実施態様の遊技機用基板ケースの支持構造においては、メイン制御基板ベース４１に第二ピン４４を設けている。第二ピン４４の材料は、特に限定されないが、第一実施態様の遊技機用基板ケースの支持構造においては、第一ピン４３と同じく、金属によって第二ピン４４を形成している。
【００４４】
第一実施態様の遊技機用基板ケースの支持構造において、第二ピン４４は、第一ピン４３と同様、軸部４４ａと、軸部４４ａの先端側（上端側）に設けた抜止部４４ｂと、軸部４４ａの基端側（下端側）に設けたアンカー部４４ｃとで構成している。軸部４４ａの直径は、第二案内溝５２の幅よりも小さくされ、抜止部４４ｂの直径は、第二案内溝５１の幅よりも大きくされる。また、アンカー部４４ｃの直径は、軸部４４ａの直径よりも大きくされる。軸部４４ａは、第二案内溝５２に挿通して案内されるための部分である。抜止部４４ｂは、第二ピン４４が第二案内溝５２から抜けないようにするための部分である。アンカー部４４ｃは、第二ピン４４が基板ケース４０から外れないように基板ケース４０に埋め込むための部分である。
【００４５】
第一実施態様の遊技機用基板ケースの支持構造においては、上述したように、第二ピン４４を金属製とするとともに、基板ケース４０を透明樹脂の射出成形によって成形するものとなっているところ、基板ケース４０を射出成形するための金型に金属製の第二ピン４４を予めセットした状態で、基板ケース４０の成形材料である樹脂材料を前記金型内に射出することにより、第二ピン４４のアンカー部４４ｃの周辺が、基板ケース４０における第二ピン埋込部４７の内部に埋め込まれた状態で一体化されるようにしている。このため、基板ケース４０における第二ピン埋込部４７の周辺を破損する等して、基板ケース４０に痕跡を残さない限りは、第二ピン４４を基板ケース４０から取り外すことができない状態となっている。
【００４６】
第二ピン４４は、基板ケース４０における第一ピン４３よりも回動変位側に設けるのであれば、それを設ける箇所を特に限定されない。しかし、第二ピン４４を基板ケース４０における第一ピン４３に近すぎる箇所に設けると、基板ケース４０のバランスが悪くなる虞がある。このため、第二ピン４４は、基板ケース４０の左右方向の幅をＬ０（図５）として、第一ピン４３の中心から第二ピン４４の中心までの距離（左右方向に沿った距離）をＬ２（図５）としたときに、距離Ｌ０に対する距離Ｌ２の比Ｌ２／Ｌ０が０．１以上となる箇所に設けると好ましい。比Ｌ２／Ｌ０は、０．１５以上であるとより好ましく、０．２以上であるとさらに好ましく、０．２５以上であると最適である。
【００４７】
一方、第二ピン４４を基板ケース４０における第一ピン４３に遠すぎる箇所に設けると、第一ピン４３を中心とする第二ピン４４の回動半径が大きくなり、基板ケース４０の幅Ｌ０が大きい場合に、後述する第二案内溝５２を遊技機筺体の奥行き（前後幅）内に納めることができなくなる虞がある。このため、第二ピン４４は、比Ｌ２／Ｌ０が０．７以下となる箇所に設けると好ましい。比Ｌ２／Ｌ０は、０．６以下であるとより好ましく、０．５以下であるとさらに好ましい。ただし、基板ケース４０の幅Ｌ０が遊技機筺体の左右幅に対して十分小さい場合（例えば、基板ケース４０の幅Ｌ０が遊技機筺体の左右幅の５０％以下である場合）には、この限りではない。
【００４８】
２．１．４  収容姿勢維持手段（第一実施態様）
ところで、第一実施態様の遊技機用基板ケースの支持構造においては、図５に示すように、収容姿勢にあるときの基板ケース４０を収容姿勢に維持するための収容姿勢維持手段６０を設けている。このように、収容姿勢維持手段６０を設けることにより、遊技機を運搬等する際等に、基板ケース４０が遊技機筺体の内部で意図せず回動して破損したり、遊技者が遊技機筺体を叩いた際等に、基板ケース４０が収容姿勢から脱落してぐらついた状態となったりしないようにすることが可能となっている。
【００４９】
収容姿勢維持手段６０は、それを意図的に操作したり、基板ケース４０に意図的に大きな力を加えたりしない限りは、基板ケース４０を収容姿勢から移動させることができないようにするもの（収容姿勢にある基板ケース４０が振動等によって意図せず移動しないようにするもの）であれば特に限定されない。収容姿勢維持手段６０としては、係合機構等の機械的な機構を利用したもののほか、磁力等の遠隔力を利用したものが挙げられる。第一実施態様の遊技機用基板ケースの支持構造において、収容姿勢維持手段６０は、磁着体６１と、磁着部６１に対して磁着される被磁着体６２とによって構成している。被磁着体６２は、基板ケース４０に固定され、磁着体６１は、天板１０ａ４における被磁着体６２に重なる部分（基板ケース４０が収容姿勢にあるときに被磁着体６２に重なる部分）に固定されている。磁着体６１は、天板１０ａ４以外の遊技機筺体や、遊技機筺体に対して固定された部材等に固定されたものであってもよい。これにより、磁着体６１と被磁着体６２との間に作用する磁力（引力）によって、基板ケース４０が収容姿勢に維持されるようにしながらも、その磁力を上回る力を加えて基板ケースを操作しようとした際には、基板ケース４０を収容姿勢から移動させることが可能となっている。
【００５０】
基板ケース４０を左右方向に亘るどの部分に被磁着体６２を設けるかは、特に限定されないが、基板ケース４０の回動変位側に設けると好ましい。具体的には、基板ケース４０の左右方向の幅Ｌ０（図５）に対する基板ケース４０の回動変位側の端部から被磁着体６２の中心までの左右方向に沿った距離Ｌ３（図５）の比Ｌ３／Ｌ０が０．５以下となる範囲に被磁着体６２を設けると好ましい。これにより、基板ケース４０を収容姿勢から移動させるために要する力を大きくし、収容姿勢にある基板ケース４０の意図しない移動をより確実に防止することが可能になる。比Ｌ３／Ｌ０は、０．３以下とするとより好ましく、０．１以下とするとさらに好ましい。第一実施態様の遊技機用基板ケースの支持構造において、比Ｌ３／Ｌ０は、約０．０６７となっている。比Ｌ３／Ｌ０の上限は、特に限定されない。被磁着体６２は、基板ケース４０の回動変位側の端部よりも外方（図５の例では右側）に突き出た箇所に設けてもよい。
【００５１】
２．１．５  第一案内溝（第一実施態様）
図６は、第一実施態様の遊技機用基板ケースの支持構造における基板ケース支持体５０を示した平面図である。第一実施態様の遊技機用基板ケースの支持構造では、図６における、点Ｐ１と点Ｐ２とを結ぶ区間Ｐ１Ｐ２に沿って設けられた溝孔と、点Ｐ２と点Ｐ３とを結ぶ区間Ｐ２Ｐ３に沿って設けられた溝孔とを合わせた部分が、第一案内溝５１として機能するようになっている。
【００５２】
第一案内溝５１の全区間Ｐ１Ｐ３のうち少なくとも一部の区間Ｐ２Ｐ３は、左右方向（ｘ軸方向）に延在するように形成（ｙ軸方向に非平行な方向に延在するように形成）されている。第一案内溝５１における区間Ｐ２Ｐ３は、第一ピン４３（図５）の軸部４３ａを左右方向に案内するための左右案内部として機能するようになっている。このように、第一案内溝５１に左右案内部Ｐ２Ｐ３を設けることにより、図４（ｂ）に示すように、基板ケース４０が展開姿勢にあるときの第一ピン４３の位置が、図４（ａ）に示すように、基板ケース４０が収容姿勢にあるときの第一ピン４３の位置よりも右側（ｘ軸方向正側）となるようになっている。したがって、基板ケース４０を９０°を超える大きな角度で回動させても、基板ケース４０が側板１０ａ２（図４）等の遊技機筺体に干渉しにくくすることが可能となっている。よって、展開姿勢とした基板ケース４０の背面側の全体を目視しやすくし、基板ケース４０の背面側の目視点検に要する労力を軽減することで、不正アクセスの早期発見を図ることができるようになっている。
【００５３】
左右案内部Ｐ２Ｐ３は、必ずしも直線状に設ける必要はなく、曲線状に設けてもよい。また、左右案内部Ｐ２Ｐ３は、必ずしも左右方向（ｘ軸方向）に対して平行に設ける必要はなく、左右方向に対して傾斜（前後方向（ｙ軸方向）に平行な方向を除く。）した状態で設けてもよい。第一実施態様の遊技機用基板ケースの支持構造においても、左右案内部Ｐ２Ｐ３は、左右方向に対して僅かに傾斜した円弧状に設けている。さらに、左右案内部Ｐ２Ｐ３は、複数箇所に分断して設けても（左右案内部Ｐ２Ｐ３の途中部分に前後方向（ｙ軸方向）に対して平行に延在する部分を設けても）よいが、第一実施態様の遊技機用基板ケースの支持構造では、左右案内部Ｐ２Ｐ３を１箇所に連続した状態で設けている。
【００５４】
また、第一実施態様の遊技機用基板ケースの支持構造においては、第一案内溝５１における一部の区間Ｐ１Ｐ２が、前後方向（ｙ軸方向）と平行に設けられている。第一案内溝５１における区間Ｐ１Ｐ２は、第一ピン４３（図５）の軸部４３ａを前後方向に案内するための前後案内部として機能するようになっている。このように、第一案内溝５１に前後案内部Ｐ１Ｐ２を設けることにより、図４（ｂ）に示すように、基板ケース４０が展開姿勢にあるときの第一ピン４３の位置が、図４（ａ）に示すように、基板ケース４０が収容姿勢にあるときの第一ピン４３の位置よりも前方（ｙ軸方向負側）となるようになっている。したがって、基板ケース４０を展開回動する際における背板１０ａ５（図４）から基板ケース４０における回動中心（第一ピン４３）までの距離を長く確保し、基板ケース４０の回動中心側の端部が背板１０ａ５に干渉しにくくすることが可能となっている。また、展開姿勢において基板ケース４０を前方に位置させ、基板ケース４０を近い位置で目視することも可能となっている。
【００５５】
第一実施態様の遊技機用基板ケースの支持構造において、前後案内部Ｐ１Ｐ２は、直線状に設けているが、曲線状に設けてもよい。また、前後案内部Ｐ１Ｐ２は、複数箇所に分断して設けても（前後案内部Ｐ１Ｐ２の途中部分に左右方向（ｘ軸方向）に延在する部分を設けても）よいが、第一実施態様の遊技機用基板ケースの支持構造では、前後案内部Ｐ１Ｐ２を１箇所に連続した状態で設けている。さらに、第一実施態様の遊技機用基板ケースの支持構造においては、基板ケース４０を収容姿勢から展開姿勢まで回動させる際に、第一ピン４３が前後案内部Ｐ１Ｐ２で案内された後も右案内部Ｐ２Ｐ３で案内されるようになっているが、前後案内部と左右案内部の配置を逆にして、第一ピン４３が左右案内部で案内された後に前後案内部で案内されるようにしてもよい。
【００５６】
２．１．６  第二案内溝（第一実施態様）
第一実施態様の遊技機用基板ケースの支持構造では、図６における、点Ｑ１と点Ｑ２とを結ぶ区間Ｑ１Ｑ２に沿って設けられた溝孔と、点Ｑ２と点Ｑ３とを結ぶ区間Ｑ２Ｑ３に沿って設けられた溝孔とを合わせた部分が、第二案内溝５２として機能するようになっている。第一実施態様の遊技機用基板ケースの支持構造においては、第二案内溝５２の全区間Ｑ１Ｑ３のうち、区間Ｑ１Ｑ２を前後方向と平行に形成しており、区間Ｑ２Ｑ３を円弧状に形成している。第二案内溝５２の区間Ｑ１Ｑ２は、第二ピン４４（図５）の軸部４４ａを前後方向に案内するための前後案内部として機能するようになっている。一方、第二案内溝５２の区間Ｑ２Ｑ３は、第二ピン４４の軸部４４ａを、点Ｐ２を中心とする円弧に沿って案内するための円弧案内部として機能するようになっている。ただし、これは飽くまで一例であり、第二案内溝５２の具体的な形態は、第一案内溝５１の形態や、基板ケース４０の所望の回動態様等によって、適宜変更される。
【００５７】
２．１．７  第一開口部及び第二開口部（第一実施態様）
ところで、第一実施態様の遊技機用基板ケースの支持構造では、基板ケース支持体５０の後縁に、第一開口部５０ａ及び第二開口部５０ｂが設けられており、第一案内溝５１及び第二案内溝５２が、それぞれ第一開口部５０ａ及び第二開口部５０ｂによって、基板ケース支持体５０の外部と連通した状態となっている。具体的には、第一案内溝５１は、第一開口部５０ａにおける点Ｐ０と第一案内溝５１における点Ｐ１とを結ぶ区間Ｐ０Ｐ１に沿って設けられた溝孔（以下においては「第一導入溝」と呼ぶことがある。）によって、基板ケース支持体５０の外部と連通され、第二案内溝５２は、第二開口部５０ｂにおける点Ｑ０と第二案内溝５２における点Ｑ１とを結ぶ区間Ｑ０Ｑ１に沿って設けられた溝孔（以下においては「第二導入溝」と呼ぶことがある。）によって、基板ケース支持体５０の外部と連通された状態となっている。
【００５８】
このため、図７に示すように、基板ケース４０を基板ケース支持体５０に対して後方（ｙ軸方向正側）から前方（ｙ軸方向負側）に移動させ、第一ピン４３の軸部４３ａ及び第二ピン４４の軸部４４ａを、それぞれ第一開口部５０ａ及び第二開口部５０ｂに挿し込んで第一導入溝Ｐ０Ｐ１（図６）及び第二導入溝Ｑ０Ｑ１（図６）を通じて第一案内溝５１及び第二案内溝５２に導き入れることで、基板ケース４０を基板ケース支持体５０に組み付けることができるようになっている。図７は、第一実施態様の遊技機用基板ケースの支持構造において、基板ケース４０を基板ケース支持体５０に組み付けている様子を示した分解斜視図である。図７において、遊技機筺体は、側板１０ａ２と、天板１０ａ４と、背板１０ａ５のみを図示しており、底板１０ａ１と、側板１０ａ３と、前扉１０ｂについては図示を省略している。
【００５９】
第一実施態様の遊技機用基板ケースの支持構造では、既に述べたように、第一ピン４３及び第二ピン４４が基板ケース４０に一体化されていることに加えて、第一ピン４３及び第二ピン４４の先端側に抜止部４３ｂ及び抜止部４４ｂがそれぞれ設けられているところ、上記のように、第一ピン４３及び第二ピン４４を、それぞれ第一導入溝Ｐ０Ｐ１及び第二導入溝Ｑ０Ｑ１を通じて第一案内溝５１及び第二案内溝５２に挿し込むことで、基板ケース４０を基板ケース支持体５０の下側に吊り下げた状態で組み付けることができるようになっている。
【００６０】
また、第一実施態様の遊技機用基板ケースの支持構造では、第一案内溝５１及び第二案内溝５２に第一ピン４３及び第二ピン４４を挿し込んだ後の第一開口部５０ａ及び第二開口部５０ｂを、天板１０ａ４の後縁部に組み付けた背板１０ａ５の上縁部よって塞ぐ背板閉塞構造を採用している。このため、背板１０ａ５を天板１０ａ４から取り外さなければ、基板ケース４０を基板ケース支持体５０から取り外すことができないようになっている。したがって、不正アクセスの際に破損等した基板ケース４０を破損等していないものに交換するといった、不正アクセスの証拠隠滅行為を行いにくくすることが可能となっている。
【００６１】
２．１．８  基板ケースの回動態様（第一実施態様）
続いて、第一実施態様の遊技機用基板ケースの支持構造における基板ケース４０の回動態様について説明する。図８は、第一実施態様の遊技機用基板ケースの支持構造において、基板ケース４０を収容姿勢（同図（ａ））から展開姿勢（同図（ｄ））まで回動させる様子をフェーズごとに示した平面図である。図８において、遊技機筺体は、天板１０ａ４のみを図示している。
【００６２】
図８（ａ）に示すように、基板ケース４０が収容姿勢にあるときには、第一ピン４３の中心が第一案内溝５１における点Ｐ１（第一案内溝５１における前後案内部の始点）と重なり、第二ピン４４の中心が第二案内溝５２における点Ｑ１（第二案内溝５２における前後案内部の始点）と重なるようになっている。第一実施態様の遊技機用基板ケースの支持構造において、基板ケース４０が収容姿勢にあるときには、基板ケース４０の背面が遊技機筺体の背板１０ａ５（図４）と略平行になるようになっている。
【００６３】
図８（ａ）に示す状態から、基板ケース４０の右側（回動変位側）の端部を手で掴み、第一ピン４３を中心とする時計回り（順方向）に基板ケース４０を回動（展開回動）させようとすると、基板ケース４０は、そのようには回動せず、図８（ｂ）に示すように、前方（ｙ軸方向負側）へ平行移動するようになる。これは、第二ピン４４が第二案内溝５２に支持された状態となっていることに加えて、第二案内溝５２の区間Ｑ１Ｑ２が、前後方向（ｙ軸方向）に延びる第一案内溝５１の区間Ｐ１Ｐ２に対して平行になっているため、第二案内溝５２が、第一ピン４３を中心とした第二ピン４４の回動を規制してその回動を前後方向の平行移動に変換するように作用することによる。
【００６４】
図８（ｂ）に示す状態においては、第一ピン４３の中心が第一案内溝５１における点Ｐ２（第一案内溝５１における前後案内部の終点、且つ、第一案内溝５１における左右案内部の始点）と重なり、第二ピン４４の中心が第二案内溝５２における点Ｑ２（第二案内溝５２における前後案内部の終点、且つ、第二案内溝５２における円弧案内部の始点）と重なるようになっている。このとき、基板ケース４０の背面は、背板１０ａ５（図４）の前面から前方へ離れた状態となっているものの、基板ケース４０の背面と背板１０ａ５の前面は、略平行な位置関係を維持している。
【００６５】
図８（ｂ）に示す状態から、基板ケース４０を順方向に回動させようとすると、基板ケース４０は、前後方向に平行移動することなく、第一ピン４３を中心として時計回りに回動し、図８（ｃ）に示す状態となる。これは、第二ピン４４が第二案内溝５２における前後案内部（区間Ｑ１Ｑ２）から円弧案内部（区間Ｑ２Ｑ３）に導入されたため、第二案内溝５２が、第一ピン４３を中心とした第二ピン４４の回動を規制することなく円弧状に第二ピン４４を案内するように作用することによる。
【００６６】
図８（ｃ）に示す状態においては、第一ピン４３の中心が第一案内溝５１における点Ｐ２（第一案内溝５１における前後案内部の終点、且つ、第一案内溝５１における左右案内部の始点）と重なり、第二ピン４４の中心が第二案内溝５２における点Ｑ３（第二案内溝５２における円弧案内部の終点）と重なるようになっている。このとき、基板ケース４０の背面は、背板１０ａ５（図４）に対して略垂直となっている。
【００６７】
図８（ｃ）に示す状態から、基板ケース４０をさらに順方向に回動させようとすると、基板ケース４０は、第二ピン４４を中心として順方向に回動し、図８（ｄ）に示す展開姿勢となる。これは、図８（ｃ）に示す状態においては、第二ピン４４が第二案内溝の終点Ｑ３に達しており、第二ピン４４はそれ以上順方向には移動できない状態となっている一方、第一ピン４３が第一案内溝５１における左右案内部（区間Ｐ２Ｐ３）に導入されており、第一ピン４３は第二ピン４４を中心とした円弧状に案内されるようになっていることによる。第一案内溝５１における左右案内部Ｐ２Ｐ３は、点Ｑ３を中心とする円弧状に湾曲しているため、この左右案内部Ｐ２Ｐ３では、第一ピン４３は、左右方向だけでなく、僅かに前方にも案内されるようになっている。
【００６８】
図８（ｄ）に示す展開姿勢においては、第一ピン４３の中心が第一案内溝５１における点Ｐ３（第一案内溝５１における左右案内部の終点）と重なり、第二ピン４４の中心が第二案内溝５２における点Ｑ３（第二案内溝５２における円弧案内部の終点）と重なるようになっている。展開姿勢にあるときの基板ケース４０は、収容姿勢から９０°を超える角度で回動しており、基板ケース４０の背面が斜め前方を向いた状態となっているため、基板ケース４０の背面全体（特に第一ピン４３が設けられた回動中心側の背面）を目視しやすい状態となっている。また、基板ケース４０が展開姿勢にあるときの第一ピン４３の位置（点Ｐ３）は、基板ケース４０が収容姿勢にあるときの第一ピン４３の位置（点Ｐ１）よりも前方へ移動しているため、基板ケース４０の背面を近い位置で目視することも可能となっている。よって、基板ケース４０の背面側の目視点検に要する労力を軽減し、不正アクセスの早期発見を図ることが可能となっている。
【００６９】
展開姿勢にある基板ケース４０を収容姿勢に戻す際には、図８（ｄ）に示す基板ケース４０の回動変位側の端部を手で掴み、基板ケース４０を反時計回り（逆方向）に回動（収容回動）させればよい。すると、基板ケース４０は、図８（ｄ）、図８（ｃ）、図８（ｂ）及び図８（ａ）の順で移動し、図８（ａ）に示す収容姿勢となる。基板ケース４０が収容姿勢となると、収容姿勢維持手段６０（図５）の磁着体６１と被磁着体６２とが磁着するため、収容姿勢にある基板ケース４０は、ある程度大きな力でそれを展開回動しようとしない限りは、収容姿勢を維持するようになっている。
【００７０】
２．１．８  展開角度等（第一実施態様）
図９は、第一実施態様の遊技機用基板ケースの支持構造において、各フェーズにおける第一ピン４３及び第二ピン４４と第一案内溝５１及び第二案内溝５２との位置関係を示した平面図である。図９においては、天板１０ａ４や基板ケース支持体５０の図示を省略しており、第一案内溝５１及び第二案内溝５２を網掛けハッチングで示している。
【００７１】
基板ケース４０の展開角度θ（基板ケース４０が収容姿勢から展開姿勢となるまでの間に回動する角度のこと。図９においては、直線Ｐ１Ｑ１と直線Ｐ３Ｑ３とが為す角度に一致する。）は、９０°よりも大きければ特に限定されない。しかし、展開角度θが小さすぎる（９０°に近すぎる）と、本発明の構成を採用する意義が低下する。このため、展開角度θは、１００°以上とすると好ましい。展開角度θは、１１０°以上とするとより好ましく、１２０°以上とするとさらに好ましい。第一実施態様の遊技機用基板ケースの支持構造において、基板ケース４０の展開角度θは、約１２０°となっている。展開角度θの上限に特に制限はない。基板ケース４０が遊技機筺体に干渉等しないのであれば、展開角度θは、１８０°程度とすることも可能である。
【００７２】
また、第一案内溝５１における左右案内部（区間Ｐ２Ｐ３）の左右方向（ｘ軸方向）に沿った長さδｘ（図９）は、基板ケース４０の左右方向の幅Ｌ０（図５）等によっても異なり、特に限定されない。しかし、左右案内部Ｐ２Ｐ３の長さδｘを短くしすぎると、展開角度θを大きく確保しにくくなる。このため、左右案内部Ｐ２Ｐ３の長さδｘは、基板ケース４０の幅Ｌ０に対する長さδｘの比δｘ／Ｌ０が０．０５以上となる範囲で設定すると好ましい。比δｘ／Ｌ０は、０．１以上であるとより好ましく、０．１５以上とするとさらに好ましい。第一実施態様の遊技機用基板ケースの支持構造において、比δｘ／Ｌ０約０．１６となっている。比δｘ／Ｌ０に特に上限は無いが、１よりも大きくしても意味が無いため、通常、１以下とされる。
【００７３】
さらに、第一案内溝５１における前後案内部（区間Ｐ１Ｐ２）の前後方向（ｙ軸方向）に沿った長さδｙ（図９）は、第一案内溝５１や第二案内溝５２が遊技機筺体の前後幅（第一実施態様の遊技機用基板ケースの支持構造においては天板１０ａ４（図６）の前後幅）に収まる範囲内であれば、特に限定されない。しかし、前後案内部Ｐ１Ｐ２の長さδｙを短くしすぎると、展開姿勢にあるときの基板ケース４０が収納姿勢にあるときよりも僅かにしか前方に移動せず、基板ケース４０の背面を近い場所で目視ににくくなる虞がある。また、基板ケース４０を図８（ｂ）に示す状態から図８（ｃ）に示す状態まで回動しようとした際に、基板ケース４０の回動中心側の端部が背板１０ａ５（図４）に干渉する虞もある。このため、前後案内部Ｐ１Ｐ２の長さδｙは、基板ケース４０が収容姿勢にあるときの第一ピン４３の中心（点Ｐ１）から天板１０ａ４の前縁までの前後方向に沿った距離Ｌ４（図６）に対する長さδｙの比δｙ／Ｌ４が０．０５以上となる範囲で設定すると好ましい。比δｙ／Ｌ４は、０．１以上であるとより好ましく、０．１５以上であるとさらに好ましい。第一実施態様の遊技機用基板ケースの支持構造において、比δｙ／Ｌ４は、約０．１５となっている。比δｙ／Ｌ４は、１よりも小さければ特に上限は無いが、第一実施態様の遊技機用基板ケースの支持構造のように、第一ピン４３及び第一案内溝５１に加えて第二ピン４４及び第二案内溝５２を設ける場合には、距離Ｌ４と第一ピン４３の中心から第二ピン４４の中心までの距離Ｌ２（図５）との差Ｌ４−Ｌ２よりも小さくされる。
【００７４】
ところで、第一案内溝５１に左右案内部Ｐ２Ｐ３を設けたことによって、基板ケース４０を収容姿勢から９０°を超える大きな角度で回動させても、基板ケース４０が遊技機筺体等の障害物に干渉しにくくすることが可能なることについては、既に述べた通りであるが、これは、図９を用いて、以下のように説明することができる。
【００７５】
単に、基板ケース４０を収容姿勢から９０°を越える角度（ここでは、第一実施態様の遊技機用基板ケースの支持構造と同じ１２０°とする。）で回動させようとするならば、図９における左右案内部Ｐ２Ｐ３を第一案内溝５１に設けずに（区間Ｐ１Ｐ２のみを第一案内溝５１として）、且つ、同図における破線部αに示すように、第二案内溝５２を点Ｑ４まで延長して設ける方法もある。この場合、基板ケース４０は、障害物との干渉を考慮しなければ、図９における破線部βに示す姿勢（第一ピン４３が点Ｐ２に重なり、第二ピン４４が点Ｑ４に重なる姿勢）まで回動できることになる。しかし、この場合の基板ケース４０は、「２．１．８  基板ケースの回動態様（第一実施態様）」の欄で述べた第一実施態様の遊技機用基板ケースの支持構造における基板ケース４０よりも、展開姿勢において、Ｘ１（Ｘ１のｘ軸方向に沿った幅は、長さδｘに一致する。）だけ左側（ｘ軸方向負側）に位置するようになっており、図９におけるＸ１で示される範囲に遊技機筺体等の障害物があれば、破線部βに示す位置まで回動できない（展開角度θが１２０°よりも小さくなる）ようになる。これに対し、第一実施態様の遊技機用基板ケースの支持構造では、図９におけるＸ１で示される範囲に障害物があっても、展開角度θが１２０°となる本来の展開姿勢まで回動させることができる。すなわち、第一実施態様の遊技機用基板ケースの支持構造では、第一案内溝５１に左右案内部Ｐ２Ｐ３を設けたことによって、基板ケース４０を収容姿勢から９０°を超える大きな角度で回動させても、基板ケース４０が遊技機筺体等の障害物に干渉しにくくすることが可能となっている。
【００７６】
２．２  第二実施態様の遊技機用基板ケースの支持構造
続いて、第二実施態様の遊技機用基板ケースの支持構造について説明する。図１０は、第二実施態様の遊技機用基板ケースの支持構造において、基板ケース４０を収容姿勢（同図（ａ））から展開姿勢（同図（ｂ））まで回動させる前後の状態を示した斜視図である。図１０において、遊技機筺体は、筺体本体１０ａの側板１０ａ２、天板１０ａ４及び背板１０ａ５のみを図示しており、底板１０ａ１側板１０ａ３及び前扉１０ｂについては図示を省略している。図１１は、第二実施態様の遊技機用基板ケースの支持構造における基板ケース支持体５０を示した平面図である。
【００７７】
以下においては、主に、第二実施態様の遊技機用基板ケースの支持構造における第一実施態様の遊技機用基板ケースの支持構造と異なる構成を説明し、その他の構成については説明を割愛する。第二実施態様の遊技機用基板ケースの支持構造で特に言及しない構成については、上述した第一実施態様の遊技機用基板ケースの支持構造と同様の構成を採用することができる。
【００７８】
２．２．１  第一案内溝及び第二案内溝（第二実施態様）
上述した第一実施態様の遊技機用基板ケースの支持構造では、図６に示すように、第一案内溝５１と第二案内溝５２とを、互いに独立した２本の溝孔の形態で設けており、第一案内溝５１と第二案内溝５２との平面視形状が「リ」の字状となっていた。これに対し、第二実施態様の遊技機用基板ケースの支持構造では、図１１に示すように、第一案内溝５１と第二案内溝５２とを、１本の溝孔に集約した形態で設けており、第一案内溝５１と第二案内溝５２との平面視形状が「つ」の字状となっている。
【００７９】
すなわち、第二実施態様の遊技機用基板ケースの支持構造においては、点Ｐ１と点Ｐ２と点Ｑ１と点Ｐ３と点Ｑ１．５と点Ｑ２と点Ｑ３とをこの順で結ぶ区間Ｐ１Ｑ３に１本の溝孔が形成されているところ、このうち区間Ｐ１Ｐ３が第一案内溝５１として機能し、区間Ｑ１Ｑ３が第二案内溝５２として機能するようになっている。換言すると、第二実施態様の遊技機用基板ケースの支持構造においては、前記１本の溝孔における区間Ｑ１Ｐ３で第一案内溝５１と第二案内溝５２とが重複した形態となっている。このように、第一案内溝５１と第二案内溝５２とを１本の溝孔に集約することで、第一案内溝５１と第二案内溝５２とを独立して設ける場合と比較して、基板ケース支持体５０の強度を保ちやすくすることが可能となっている。
【００８０】
このように、第一案内溝５１と第二案内溝５２とを１本の溝孔に集約する場合、当該溝孔の具体的な形態は、基板ケース４０を所望の態様で回動させることができるのであれば、特に限定されない。第二実施態様の遊技機用基板ケースの支持構造においては、第一案内溝５１の全区間Ｐ１Ｐ３を左右案内部としている。ただし、左右案内部Ｐ１Ｐ３のうち、区間Ｐ１Ｐ２は、左右方向（ｘ軸方向）に対して平行となっているものの、区間Ｐ２Ｐ３は、円弧状に湾曲形成している。このため、第一ピン４３が左右案内部Ｐ１Ｐ３における区間Ｐ２Ｐ３で案内されるときには、第一ピン４３は、左右方向だけでなく前後方向（ｙ軸方向）にも移動するようになっている。また、第二実施態様の遊技機用基板ケースの支持構造においては、第二案内溝５２の全区間Ｑ１Ｑ３のうち、区間Ｑ１Ｑ１．５を、円弧状に湾曲形成した円弧案内部としており、区間Ｑ１．５Ｑ３を、斜め前方に向かって直線状に延びる直線案内部としている。
【００８１】
また、第一実施態様の遊技機用基板ケースの支持構造では、図６に示すように、第一案内溝５１及び第二案内溝５２は、基板ケース支持体５０の後縁に独立して設けられた第一開口部５０ａ及び第二開口部５０ｂによって、それぞれ基板ケース支持体５０の外部と連通した状態となっていた。これに対し、第二実施態様の遊技機用基板ケースの支持構造では、図１１に示すように、第一開口部５０ａ及び第二開口部５０ｂを、基板ケース支持体５０の後縁における１箇所に集約した形態で設けている。換言すると、第一案内溝５１は、点Ｐ０と点Ｐ１とを結ぶ区間Ｐ０Ｐ１に沿って設けられた溝孔（第一導入溝）によって、基板ケース支持体５０の外部と連通され、第二案内溝５２は、点Ｐ０（点Ｑ０）と点Ｑ１とを結ぶ区間Ｐ０Ｑ１（区間Ｑ０Ｑ１）に沿って設けられた溝孔（第二導入溝）によって、基板ケース支持体５０の外部と連通された状態となっているところ、第二導入溝Ｐ０Ｑ１（第二導入溝Ｑ０Ｑ１）における区間Ｐ０Ｐ１（区間Ｑ０Ｐ１）は、第一導入溝Ｐ０Ｐ１と重複して設けられており、第二導入溝Ｐ０Ｑ１（第二導入溝Ｑ０Ｑ１）における区間Ｐ１Ｐ２は、第一案内溝５１と重複して設けられている。
【００８２】
このため、第二実施態様の遊技機用基板ケースの支持構造において、第一ピン４３及び第二ピン４４を第一案内溝５１及び第二案内溝５２に挿し込む際には、図７に示すように、基板ケース４０の前面を前方（ｙ軸方向正側）に向けるのではなく、基板ケース４０の前面を左側（ｘ軸方向負側）に向けた状態（基板ケース４０を図７に示す状態から時計回りに９０°回転させた状態）で、基板ケース４０を基板ケース支持体５０に対して後方（ｙ軸方向正側）から前方（ｙ軸方向負側）に移動させるようになっている。したがって、第一開口部５０ａ（第二開口部５０ｂ）には、第二ピン４４が挿し込まれた後に、第一ピン４３が挿し込まれるようになる。このとき、第二ピン４４が第一案内溝５１における点Ｐ１に達した後は、基板ケース４０を反時計回りに回転させて第二ピン４４を右側に移動させながら、第一ピン４３を第一開口部５０ａ（第二開口部５０ｂ）に挿し込むようにする。
【００８３】
２．２．２  基板ケースの回動態様（第二実施態様）
続いて、第二実施態様の遊技機用基板ケースの支持構造における基板ケース４０の回動態様について説明する。図１２は、第二実施態様の遊技機用基板ケースの支持構造において、基板ケース４０を収容姿勢（同図（ａ））から展開姿勢（同図（ｃ））まで回動させる様子をフェーズごとに示した平面図である。図１２において、遊技機筺体は、天板１０ａ４のみを図示している。
【００８４】
図１２（ａ）に示すように、基板ケース４０が収容姿勢にあるときには、第一ピン４３の中心が第一案内溝５１における点Ｐ１（第一案内溝５１における左右案内部の始点）と重なり、第二ピン４４の中心が第二案内溝５２における点Ｑ１（第二案内溝５２における円弧案内部の始点）と重なるようになっている。第二実施態様の遊技機用基板ケースの支持構造においても、基板ケース４０が収容姿勢にあるときには、基板ケース４０の背面が遊技機筺体の背板１０ａ５（図１０）と略平行になるようになっている。
【００８５】
図１２（ａ）に示す状態から、基板ケース４０の右側（回動変位側）の端部を手で掴み、第一ピン４３を中心とする時計回り（順方向）に基板ケース４０を回動（展開回動）させようとすると、基板ケース４０は、第一ピン４３を中心として時計回りに回動し、図１２（ｂ）に示す状態となる。この間、第一ピン４３は、第一案内溝５１における左右案内部（区間Ｐ１Ｐ３）のうち左右方向に平行な区間Ｐ１Ｐ２に案内されて右側（ｘ軸方向正側）に移動する。また、第二ピン４４は、第二案内溝５２における円弧案内部（区間Ｑ１Ｑ１．５）及び直線案内部（区間Ｑ１．５Ｑ２）に案内されて前方（ｙ軸方向負側）に移動する。
【００８６】
図１２（ｂ）に示す状態においては、第一ピン４３の中心が第一案内溝５１における点Ｐ２（第一案内溝５１における左右案内部（区間Ｐ１Ｐ３）のうち左右方向に平行な区間Ｐ１Ｐ２の終点）と重なり、第二ピン４４の中心が第二案内溝５２における点Ｑ２（第二案内溝５２における直線案内部（区間Ｑ１．５Ｑ３）の略中間点）と重なるようになっている。このとき、基板ケース４０の背面は、背板１０ａ５（図１０）に対して略垂直となっている。
【００８７】
図１２（ｂ）に示す状態から、基板ケース４０をさらに順方向に回動させようとすると、基板ケース４０は、第一ピン４３を中心としてさらに時計回りに回動し、図１２（ｃ）に示す展開姿勢となる。この間、第一ピン４３は、第一案内溝５１における左右案内部（区間Ｐ１Ｐ３）のうち円弧状に湾曲形成された区間Ｐ２Ｐ３に案内されて右側（ｘ軸方向正側）に移動するとともに、前方（ｙ軸方向負側）にも移動する。また、第二ピン４４は、第二案内溝５２における直線案内部（区間Ｑ１．５Ｑ３）に案内されて斜め前方左側へ移動する。
【００８８】
図１２（ｃ）に示す展開姿勢においては、第一ピン４３の中心が第一案内溝５１における点Ｐ３（第一案内溝５１における左右案内部の終点）と重なり、第二ピン４４の中心が第二案内溝５２における点Ｑ３（第二案内溝５２における直線案内部の終点）と重なるようになっている。このとき、基板ケース４０の展開角度θ（図９）が９０°よりも大きくなっており、基板ケース４０の背面が斜め前方を向いているため、基板ケース４０の背面全体（特に第一ピン４３が設けられた回動中心側の背面）を目視しやすい状態となっている。また、第一ピン４３の位置が、収容姿勢にあるとき（点Ｐ１）よりも前方へ移動した状態となっているため、基板ケース４０の背面を近い位置で目視することも可能となっている。よって、基板ケース４０の背面側の目視点検に要する労力を軽減し、不正アクセスの早期発見を図ることが可能となっている。
【００８９】
展開姿勢にある基板ケース４０を収容姿勢に戻す際には、図１２（ｃ）に示す基板ケース４０の回動変位側の端部を手で掴み、基板ケース４０を反時計回り（逆方向）に回動（収容回動）させればよい。すると、基板ケース４０は、図１２（ｃ）、図１２（ｂ）及び図１２（ａ）の順で移動し、図１２（ａ）に示す収容姿勢となる。基板ケース４０が収容姿勢となると、収容姿勢維持手段６０（図５を参照）の磁着体６１と被磁着体６２とが磁着するため、収容姿勢にある基板ケース４０は、ある程度大きな力でそれを展開回動しようとしない限りは、収容姿勢を維持するようになっている。
【００９０】
２．２．３  展開角度等（第二実施態様）
図１３は、第二実施態様の遊技機用基板ケースの支持構造において、各フェーズにおける第一ピン４３及び第二ピン４４と第一案内溝５１及び第二案内溝５２との位置関係を示した平面図である。図１３においては、天板１０ａ４や基板ケース支持体５０の図示を省略しており、第一案内溝５１及び第二案内溝５２を網掛けハッチングで示している。
【００９１】
第二実施態様の遊技機用基板ケースの支持構造では、基板ケース４０の展開角度θ（図１３）は、第一実施態様の遊技機用基板ケースの支持構造で述べた展開角度θ（図９）と同様の範囲で設定することができる。第二実施態様の遊技機用基板ケースの支持構造においては、基板ケース４０の展開角度θを、第一実施態様の遊技機用基板ケースの支持構造における展開角度θと同様の約１２０°としている。また、第二実施態様の遊技機用基板ケースの支持構造では、第一案内溝５１における左右案内部（区間Ｐ１Ｐ３）の左右方向（ｘ軸方向）に沿った長さδｘ（図１３）も、第一実施態様の遊技機用基板ケースの支持構造で述べた長さδｘ（図９）と同様の範囲で設定することができるが、通常、第一案内溝５１における区間Ｐ１Ｑ１を左右方向（ｘ軸方向）と平行に設けて第二導入溝と共用した分だけ、第一実施態様の遊技機用基板ケースの支持構造における長さδｘよりも長くなる。さらに、第二実施態様の遊技機用基板ケースの支持構造では、第一案内溝５１における左右案内部（区間Ｐ１Ｐ３）のうち円弧状に湾曲形成された区間Ｐ２Ｐ３の前後方向（ｙ軸方向）に沿った長さδｙ（図１３）は、第一実施態様の遊技機用基板ケースの支持構造で述べた長さδｙ（図９）と同様の範囲で設定することができる。
【符号の説明】
【００９２】
１０      回胴式遊技機（遊技機）
１０ａ    筺体本体（遊技機筺体）
１０ａ１  底板
１０ａ２  側板
１０ａ３  側板
１０ａ４  天板
１０ａ５  背板
１０ｂ    前扉（遊技機筺体）
１０ｂ１  リール窓
１１      メダル投入口
１２      メダル払出口
１３      左リール（リール）
１４      中リール（リール）
１５      右リール（リール）
１６      液晶ディスプレイ
１７      スピーカー
１８      マックスベットボタン
１９      シングルベットボタン
２０      スタートレバー
２１      左リール用ストップボタン（ストップボタン）
２２      中リール用ストップボタン（ストップボタン）
２３      右リール用ストップボタン（ストップボタン）
２４      チャンスボタン
２５      払戻しボタン
３０      メイン制御基板ユニット
３０ａ    メイン制御基板（電子基板）
３１      サブ制御基板ユニット
３２      液晶ユニット
３３      電源ユニット
３４      コネクタユニット
３５      リールユニット
３６      ホッパーユニット
４０      基板ケース
４１      メイン制御基板ベース
４２      メイン制御基板カバー
４３      第一ピン
４３ａ    軸部
４３ｂ    抜止部
４３ｃ    アンカー部
４４      第二ピン
４４ａ    軸部
４４ｂ    抜止部
４４ｃ    アンカー部
４６      第一ピン埋込部
４７      第二ピン埋込部
５０      基板ケース支持体
５０ａ    第一開口部
５０ｂ    第二開口部
５１      第一案内溝
５２      第二案内溝
６０      収容姿勢維持手段
６１      磁着体
６２      被磁着体
７０      保護カバー
Ｄ１    第一ピンの軸部の直径
Ｄ２    第一ピンの抜止部の直径
Ｄ３    第一ピンのアンカー部の直径
Ｌ０    基板ケースの左右方向の幅
Ｌ１    基板ケースの回動中心側の端部から第一ピンの中心までの距離
Ｌ２    第一ピンの中心から第二ピンの中心までの距離
Ｌ３    基板ケースの回動変位側の端部から被磁着体の中心までの距離
Ｌ４    基板ケースが収容姿勢にあるときの第一ピンの中心から天板の前縁までの前後方向に沿った距離
Ｗ１    第一案内溝５１の幅
θ      基板ケースの展開角度
δｘ      第一案内溝における左右案内部の左右方向に沿った長さ
δｙ      第一案内溝における前後案内部（第二実施態様の遊技機用基板ケースの支持構造においては左右案内部）の前後方向に沿った長さ
【要約】
【課題】
不正アクセスの早期発見を図ることができる遊技機用基板ケースの支持構造を提供する。
【解決手段】
基板ケース４０を収容姿勢（図８（ａ））から展開姿勢（図８（ｄ））になるまで回動させることができる状態で遊技機筺体に支持するための遊技機用基板ケースの支持構造において、基板ケース４０の回動中心側に設けられた第一ピン４３を長手方向に沿ってスライド可能な状態で支持するための第一案内溝５１を、基板ケース支持体５０に設けるとともに、第一案内溝５１における少なくとも一部の区間Ｐ２Ｐ３を、第一ピン４３を左右方向に案内するための左右案内部としたことにより、基板ケース４０が展開姿勢にあるときの第一ピン４３の位置（点Ｐ３）が、基板ケース４０が収容姿勢にあるときの第一ピン４３の位置（点Ｐ１）よりも左右方向一側となるようにした。
【選択図】図８【図１】
0005947955.tif 000002
【図２】
0005947955.tif 000003
【図３】
0005947955.tif 000004
【図４】
0005947955.tif 000005
【図５】
0005947955.tif 000006
【図６】
0005947955.tif 000007
【図７】
0005947955.tif 000008
【図８】
0005947955.tif 000009
【図９】
0005947955.tif 000010
【図１０】
0005947955.tif 000011
【図１１】
0005947955.tif 000012
【図１２】
0005947955.tif 000013
【図１３】
0005947955.tif 000014